(57)【要約】【課題】ガラス間口内に保持されるパネルが単板ガラスである建具の防火性能を向上させることができる。【解決手段】単板ガラスを保持するガラス間口内に、四周に連続して加熱発泡材が配置されており、すくなくとも単板ガラスの下辺を保持するガラス間口内には補強部材が配置されることなく単板ガラスの下辺を支持する支持部材が配置されており、単板ガラスの下辺を保持するガラス間口内に配置される加熱発泡材は、ガラス間口内の見付面に取り付けられている。【選択図】  図１
2020084549.tif 000002
【特許請求の範囲】
【請求項１】
単板ガラスを保持するガラス間口内に、四周に連続して加熱発泡材が配置されており、
すくなくとも単板ガラスの下辺を保持するガラス間口内には補強部材が配置されることなく単板ガラスの下辺を支持する支持部材が配置されており、単板ガラスの下辺を保持するガラス間口内に配置される加熱発泡材は、ガラス間口内の見付面に取り付けられている
防火建具。
【発明の詳細な説明】
【技術分野】
【０００１】
本発明は、建物開口部に配置される防火建具に関する。
【背景技術】
【０００２】
ガラス間口内に単板ガラスを保持可能な建具が知られている。
【先行技術文献】
【特許文献】
【０００３】
【特許文献１】特開2004-124591号公報
【発明の概要】
【発明が解決しようとする課題】
【０００４】
上記特許文献１に記載された建具は、複層ガラスを保持するガラス間口内に単板ガラスを保持可能にしたものであるが、単板ガラスを保持する建具において防火性能を向上させることが求められている。
【０００５】
本発明は、ガラス間口内に単板ガラスを保持可能な建具において、防火性能を向上させることができる建具を提供することを目的とする。
【課題を解決するための手段】
【０００６】
本発明の一実施形態は、単板ガラスを保持するガラス間口内に、四周に連続して加熱発泡材が配置されており、すくなくとも単板ガラスの下辺を保持するガラス間口内には補強部材が配置されることなく単板ガラスの下辺を支持する支持部材が配置されており、単板ガラスの下辺を保持するガラス間口内に配置される加熱発泡材は、ガラス間口内の見付面に取り付けられている防火建具である。
【発明の効果】
【０００７】
本実施形態の防火建具の構成により、ガラス間口内に保持されるパネルが単板ガラスである建具の防火性能を向上させることができる。
【図面の簡単な説明】
【０００８】
【図１】第１の実施形態に係る防火建具の竪断面図である。
【図２】第１の実施形態に係る防火建具の横断面図である。
【図３】第２の実施形態に係る防火建具の竪断面図である。
【図４】第２の実施形態に係る防火建具の横断面図である。
【図５】第３の実施形態に係る防火建具の竪断面図である。
【図６】第３の実施形態に係る防火建具の横断面図である。
【図７】第４の実施形態に係る防火建具の竪断面図である。
【図８】第４の実施形態に係る防火建具の横断面図である。
【図９】第５の実施形態に係る防火建具の竪断面図である。
【図１０】第５の実施形態に係る防火建具の横断面図である。
【図１１】第６の実施形態に係る防火建具の竪断面図である。
【図１２】第６の実施形態に係る防火建具の横断面図である。
【図１３】第７の実施形態に係る防火建具の竪断面図である。
【図１４】第７の実施形態に係る防火建具の横断面図である。
【発明を実施するための形態】
【０００９】
−第1の実施形態−
第1の実施形態として、四周に組んだ枠体に単板ガラスをはめ込んでなるＦＩＸ窓を、図面を参考にして説明する。
（全体の構成）
本実施形態のＦＩＸ窓は、図１、２に示すように、建物の躯体開口部に配置される枠体１と、枠体１の内周に保持される単板ガラス５を有しており、枠体１は、上枠１１、下枠１２及び左、右の竪枠１３，１３を四周組して形成されている。
【００１０】
（上枠部分の構成）
枠体１を構成する上枠１１は、見付け面を有する室内側壁部１１１ａ及び室外側壁部１１１ｂと、室内側壁部１１１ａと室外側壁部１１１ｂを連絡する内周壁部１１１ｃを有しており、内周壁部１１１ｃの室外側に単板ガラス５を保持するガラス間口１１ａを有している。また、上枠１１は、室内側壁部１１１ａの室内側面に室内方向に延びるアングル部を有している。
【００１１】
ガラス間口１１ａの内周端の両側には単板ガラス５との間を気密する気密材ｓ，ｓが設けられており、ガラス間口１１ａ内の室内側見付面の上方位置に加熱により発泡する加熱発泡材ｆが配置されている。
【００１２】
（下枠部分の構成）
枠体１を構成する下枠１２は、見付け面を有する室内側壁部１２１ａ及び室外側壁部１２１ｂと、室内側壁部１２１ａと室外側壁部１２１ｂを連絡する内周壁部１２１ｃを有しており、内周壁部１２１ｃの室外側に単板ガラス５を保持するガラス間口１２ａを有している。下枠１２は、室内側壁部１２１ａの室内側上端から室内方向に延びるアングル部を有している。
【００１３】
下枠１２のガラス間口１２ａは、室外側の底面が水平面である載置面となっており、載置面の室内側に室内側に行くにしたがって上方に傾斜する傾斜面が連続しており、平坦な載置面上にセッティングブロック（支持部材）６を介して単板ガラス５が支持されている。
そして、ガラス間口１２ａの内周端の両側には単板ガラス５との間を気密する気密材ｓ，ｓが設けられている。
【００１４】
さらに、ガラス間口１２ａ内の室内側見付面及び室外側見付面には、加熱により発泡する加熱発泡材ｆ，ｆが下枠１２の長手方向全長にわたって設けられている。
ガラス間口１２ａの底面には、ガラス間口１２ａ内に侵入した結露水等を配する水抜き孔（図示はない）が形成されており、下枠１２の室外側下方部分には、該結露水等を室外側に排水する水切りを有している。ガラス間口１２ａと水切りとの間には、つぶれ防止具が配置されている。
【００１５】
（竪枠部分の構成）
枠体１を構成する左右の竪枠１３は、見付け面を有する室内側壁部１３１ａ及び室外側壁部１３１ｂと、室内側壁部１３１ａと室外側壁部１３１ｂを連絡する内周壁部１３１ｃと、内周壁部１３１ｃの室外側端部近傍に内周に突出する室外側見付壁部１３１ｆを有する竪枠本体１３１と、押縁１３２を備えている。竪枠１３は、室内側壁部１３１ａの室内側面に室内方向に延びるアングル部を有している。
内周壁部１３１ｃは、内周面の見込み方向で中央付近に押縁係止部１３１ｇを有しており、押縁係止部１３１ｇに係止された押縁１３２と室外側見付壁部１３１ｆによってガラス間口１３ａが形成されている。
【００１６】
ガラス間口１３ａ（室外側見付壁部１３１ｆ及び押縁１３２）の内周端には単板ガラス５との間を気密する気密材ｓ，ｓが取り付けられており、ガラス間口１３ａの底面には、単板ガラス５の端面に対向する部位に加熱発泡材ｆが配置されている。
【００１７】
−第２の実施形態−
第２の実施形態として、四周に組んだ枠体１の内周に、四周に組んだドア框体の内周に単板ガラス５をはめ込んでなる障子２を開閉自在に支持してなるかまちドアを、図面を参考にして説明する。
（全体の構成）
本実施形態のかまちドアの枠体１は、上枠１１、下枠１２及び左、右の竪枠１３，１３を四周組して形成されており、障子２は、上框２１、下框２２及び左右の竪框２３，２３を四周組してなる框体の内周に単板ガラス５を保持して形成されている。
【００１８】
（上枠部分の構成）
枠体１を構成する上枠１１は、見付け面を有する室内側壁部１１１ａ及び室外側壁部１１１ｂと、室内側壁部１１１ａと室外側壁部１１ｂを連絡する内周壁部１１１ｃを有しており、室内側壁部１１１ａの室内側面に室内方向に延びるアングル部を有している。
【００１９】
内周壁部１１１ｃは、室内側の内周面が室外側の内周面よりも内周に位置するように見付壁で連続されて段部が形成されており、室内側の内周面には、内周方向（下方）に向かって室内側見付壁部１１１ｄが延設されている。
室内側見付壁部１１１ｄは、室外側面の下端位置に障子２の閉鎖時に上框２１の室内側面に対向する気密材ｓが配置されており、気密材ｓの上方部位には上框２１の室内側上端に向かう加熱発泡材ｆが配置されている。
【００２０】
また、内周壁部１１１ｃは、段部を形成する見付壁と室外側壁部１１１ｂとによって、下方に開口する凹部が形成されており、室外側壁部１１１ｂの下端室内側面に上框２１の室外側上端に当接する気密材ｓが配置されるとともに、気密材ｓの上方部位には室内方向に向く加熱発泡材ｆが配置されている。
【００２１】
障子２を構成する上框２１は、室内側見付面を構成する室内側壁部２１１ａと、室外側見付面を構成する室外側壁部２１１ｂと、外周側壁部２１１ｃと、内周側壁部２１１ｄを有する断面中空形状をなしており、室外側の内周側部分には、ガラス間口２１ａが形成されている。
ガラス間口２１ａの内周端の両側には単板ガラス５との間を気密する気密材ｓ，ｓが取り付けられており、ガラス間口２１ａ内の室内外両側の見付面の上方位置に加熱発泡材ｆ，ｆが配置されている。
【００２２】
上框２１は、中空内部に、例えばスチール等の金属材料からなる補強部材８１が配置されている。補強部材８１は、中空部内において、ガラス間口２１ａの底壁に沿って固定される下方見込壁８１ａと、室外側壁部２１１ｂの内周に沿って配置される見付壁８１ｂと、見付壁８１ｂの上端室内側に延びて外周側壁部２１１ｃに沿って配置される上方見込壁８１ｃとを有し、上方見込壁８１ｃの室内側に連続して上框２１の室内側壁部２１１ａの内周に沿って配置される回転止め壁部８１ｄを有している。
【００２３】
（下枠部分の構成）
枠体１を構成する下枠１２は、躯体開口部の内周面に沿う内周壁部１２１ｃと、室内側の見付面を構成する室内側壁部１２１ａと、室内側壁部１２１ａの室外側に立設する室内側立上壁部１２１ｄと、室内側壁部１２１ａと室内側立上壁部１２１ｄとの上端同士を連結する上壁部１２１ｅを有している。
下枠１２は、室内側壁部１２１ａと室内側立上壁部１２１ｄと上壁部１２１ｅによって中空部が形成されているとともに、室内側壁部１２１ａの室内側上端から室内側に向かってアングル部を有している。
【００２４】
室内側立上壁部１２１ｄは、室外側面に下框２２の室内側面に対向する気密材ｓが設けられており、室外側面の気密材ｓの下方部位には、下框２２の室内側下端に向かって加熱発泡材ｆが配置されている。また、下枠１２の中空内部に加熱発泡材ｆが配置されている。
【００２５】
障子２を構成する下框２２は、上框２１とほぼ同様の構成をなしており、室内側壁部２２１ａと、室外側壁部２２１ｂと、外周側壁部２２１ｃと、内周側壁部２２１ｄを有する断面中空形状をなしており、室外側の内周側部分には、ガラス間口２２ａが形成されている。
ガラス間口２２ａは、内周端の両側に単板ガラス５との間を気密する気密材ｓ，ｓが取り付けられており、底面に配置されるセッティングブロック（支持部材）６を介して単板ガラス５を支持している。
そして、下框２２は、ガラス間口２２ａ内の室外側の見付面の下方位置に加熱発泡材ｆが長手方向全長に亘って配置されている。
【００２６】
下框２２は、中空内部に、例えばスチール等の金属材料からなる補強部材８２が配置されている。補強部材８２は、中空部内において、ガラス間口２２ａの底壁に沿って固定される上方見込壁８２ａと、室外側壁部２２１ｂの内周に沿って配置される見付壁８２ｂと、見付壁８２ｂの下端室内側に延びて外周側壁部２２１ｃに沿って配置される下方見込壁８２ｃとを有し、下方見込壁８２ｃの室内側に連続して下框２２の室内側壁部２２１ａの内周に沿って配置される回転止め壁部８２ｄを有している。
【００２７】
（竪枠部分の構成）
枠体１を構成する左右の竪枠１３は、見付け面を有する室内側壁部１３１ａ及び室外側壁部１３１ｂと、室内側壁部１３１ａと室外側壁部１３１ｂを連絡する内周壁部１３１ｃと、内周壁部１３１ｃの室内側端部近傍に内周に突出する室内側見付壁部１３１ｄを有している。また、竪枠１３は、室内側壁部１３１ａの室内側面に室内方向に延びるアングル部を有している。
室内側見付壁部１３１ｄは、室内側面の内周端に竪框２３の室内側面に対向する気密材ｓが配置されており、内周壁部１３１ｃは、室内側内周面に気密材ｓと竪框２３との当接部分に向かう加熱発泡材ｆが設定されている。さらに、左の竪枠１３には、内周壁部１３１ｃと室内側見付壁部１３１ｄとのコーナー部に内周方向に向く加熱発泡材ｆが配置されている。
【００２８】
障子２を構成する左右の竪框２３は、室内側壁部２３１ａと、室外側壁部２３１ｂと、外周側壁部２３１ｃと、内周側壁部２３１ｄを有する断面中空形状の竪框本体２３１と、押縁２３２を有している。
竪框本体２３１は、室外側壁部２３１ｂが内周側に延びてガラス間口２３ａの室外側壁を形成しており、内周側壁部２３１ｄの室内側内周面に形成された押縁係止部２３１ｅに押縁２３２が係止されることで、押縁２３２と室外側壁部２３１ｂによってガラス間口２３ａが形成されている。
ガラス間口２３ａ（室外側壁部２３１ｂ及び押縁２３２）の内周端の両側には単板ガラス５との間を気密する気密材ｓ，ｓが取り付けられており、ガラス間口２３ａ内の室外側の底壁に加熱発泡材ｆが配置されている。
【００２９】
左右の竪框２３，２３は、基本的な構成を同じくするが、吊元側の竪框（左の竪框）２３はヒンジ（図示はない）によって竪枠１３に支持されており、戸先側の竪框（右の竪框）２３の室内側外周に目隠し板２３３が形成されている。また、戸先側の竪框（右の竪框）２３の中空部内には補強材８３が配置されている。
【００３０】
−第３の実施形態−
第３の実施形態として、四周に組んだ枠体１の内周に、四周に組んだドア框体の内周に単板ガラス５をはめ込んでなる障子２をすべり出し開閉自在に支持してなるすべり出し窓を、図５，６を参考にして説明する。
（全体の構成）
本実施形態のすべり出し窓の枠体１は、上枠１１、下枠１２及び左、右の竪枠１３，１３を四周組して形成されており、障子２は、上框２１、下框２２及び左右の竪框２３，２３を四周組してなる框体の内周に単板ガラス５を保持して形成されている。
【００３１】
（上枠部分の構成）
枠体１を構成する上枠１１は、見付け面を有する室内側壁部１１１ａ及び室外側壁部１１１ｂと、室内側壁部１１１ａと室外側壁部１１１ｂを連絡する内周壁部１１１ｃを有しており、室内側壁部１１１ａの室内側面に室内方向に延びるアングル部を有している。
【００３２】
内周壁部１１１ｃは、室内側の内周面が室外側の内周面よりもやや内周に位置するように段部が形成されており、室内側の内周面には、内周方向（下方）に向かって室内側見付壁部１１１ｄが延設されている。
室内側見付壁部１１１ｄは、室外側面の下端位置に障子２の閉鎖時に上框２１の室内側面に対向する気密材ｓが配置されており、気密材ｓの上方部位には上框２１の外周面と内周壁部１１１ｃの内周面との間の空間に向かう加熱発泡材ｆが配置されている。
【００３３】
また、上枠１１は、室外側壁部１１１ｂの下端に、障子２の上框２１の室外側上端に当接する気密材ｓが配置されている。
【００３４】
障子２を構成する上框２１は、室内側見付面を構成する室内側壁部２１１ａと、室外側見付面を構成する室外側壁部２１１ｂと、外周側壁部２１１ｃと、内周側壁部２１１ｄを有する断面中空形状の上框本体２１１と、押縁２１２を有している。
【００３５】
上框本体２１１は、室外側壁部２１１ｂが内周側に延びてガラス間口２１ａの室外側壁を形成しており、内周側壁部２１１ｄの室内側内周面に形成された押縁係止部２１１ｅに押縁２１２が係止されることで、押縁２１２と室外側壁部２１１ｂによってガラス間口２１ａが形成されている。
ガラス間口２１ａ（室外側壁部２１１ｂ及び押縁２１２）の内周端の両側には単板ガラス５との間を気密する気密材ｓ，ｓが取り付けられており、ガラス間口２１ａ内の室外側見付面の上方位置に加熱発泡材ｆが配置されている。
【００３６】
（下枠部分の構成）
枠体１を構成する下枠１２は、躯体開口部の内周面に沿う内周壁部１２１ｃと、室内側の見付面を構成する室内側壁部１２１ａと、室内側壁部１２１ａの室外側に立設する室内側立上壁部１２１ｄと、室内側壁部１２１ａと室内側立上壁部１２１ｄとの上端同士を連結する上壁部１２１ｅを有している。
下枠１２は、室内側壁部１２１ａと室内側立上壁部１２１ｄと上壁部１２１ｅによって中空部が形成されているとともに、室内側壁部１２１ａの室内側上端から室内側に向かってアングル部を有している。
【００３７】
室内側立上壁部１２１ｄは、室外側面に下框２２の室内側面に対向する気密材ｓが設けられており、室外側面の気密材ｓの下方部位には、下框２２の室内側下端に向かって加熱発泡材ｆが配置されている。また、下枠１２の中空内部に加熱発泡材ｆが配置されている。
【００３８】
障子２を構成する下框２２は、室内側壁部２２１ａと、室外側壁部２２１ｂと、外周側壁部２２１ｃと、内周側壁部２２１ｄを有する断面中空形状をなしており、室外側の内周側部分には、ガラス間口２２ａが形成されている。
ガラス間口２２ａは、内周端の両側に単板ガラス５との間を気密する気密材ｓ，ｓが取り付けられており、ガラス間口２２ａ内に配置されたセッティングブロック６を介して単板ガラス５を支持している。
そして、下框２２は、ガラス間口２２ａ内の室外側の見付面の下方位置に加熱発泡材ｆが長手方向全長に亘って配置されている。
【００３９】
（竪枠部分の構成）
枠体１を構成する左右の竪枠１３は、見付け面を有する室内側壁部１３１ａ及び室外側壁部１３１ｂと、室内側壁部１３１ａと室外側壁部１３１ｂを連絡する内周壁部１３１ｃと、内周壁部１３１ｃの室内側に内周に突出する室内側見付壁部１３１ｄを有している。また、竪枠１３は、室内側壁部１３１ａの室内側面に室内方向に延びるアングル部を有している。
室内側見付壁部１３１ｄは、室外側面の内周端に竪框２３の室内側面に対向する気密材ｓが配置されており、気密材ｓの外周側に内周壁部１３１ｃと竪框２３の外周面との間の空間に向かう加熱発泡材ｆが配置されている。
【００４０】
障子２を構成する左右の竪框２３は、室外側見付面を構成する室外側壁部２３１ｂと、室外側壁部２３１ｂの室内側面から室内側に延びて外周面を構成する外周側壁部２３１ｃとからなる竪框本体２３１と、押縁２３２を有している。
竪框本体２３１は、室外側壁部２３１ｂがガラス間口２３ａの室外側壁を形成しており、外周側壁部２３１ｃの室内側内周面に形成された押縁係止部２３１ｅに押縁２３２が係止されることで、押縁２３２と室外側壁部２３１ｂによってガラス間口２３ａが形成されている。
また、室外側壁部２３１ｂは、外周端に気密材が配置されており、竪枠１３の内周面に当接している。
【００４１】
ガラス間口２３ａの内周端の両側には単板ガラス５との間を気密する気密材ｓ，ｓが取り付けられており、ガラス間口２３ａ内の底壁（外周側壁部２３１ｃの内周側面）及び室外側壁部２３１ｂと外周側壁部２３１ｃとのコーナー部に加熱発泡材ｆが配置されている。
【００４２】
−第４の実施形態−
第４の実施形態として、四周に組んだ枠体１の内周に、四周に組んだドア框体の内周に単板ガラス５をはめ込んでなる障子２をすべり出し開閉自在に支持してなる竪すべり出し窓を、図７，８を参考にして説明する。
（全体の構成）
本実施形態の竪すべり出し窓の枠体１は、上枠１１、下枠１２及び左、右の竪枠１３，１３を四周組して形成されており、障子２は、上框２１、下框２２及び左右の竪框２３，２３を四周組してなる框体の内周に単板ガラス５を保持して形成されている。
【００４３】
（上枠部分の構成）
枠体１を構成する上枠１１は、見付け面を有する室内側壁部１１１ａ及び室外側壁部１１１ｂと、室内側壁部１１１ａと室外側壁部１１１ｂを連絡する内周壁部１１１ｃを有しており、室内側壁部１１１ａの室内側面に室内方向に延びるアングル部を有している。
【００４４】
内周壁部１１１ｃは、室内側の内周面が室外側の内周面よりもやや内周に位置するように段部が形成されており、室内側の内周面には、内周方向（下方）に向かって室内側見付壁部１１１ｄが延設されている。
室内側見付壁部１１１ｄは、室外側面の下端位置に障子２の閉鎖時に上框２１の室内側面に対向する気密材ｓが配置されており、気密材ｓの上方部位には加熱発泡材ｆ等を保持するための保持部を有している。
【００４５】
また、上枠１１は、室外側壁部１１１ｂの下端に上框２１の室外側上端に当接する気密材ｓが配置されている。
【００４６】
障子２を構成する上框２１は、室内側見付面を構成する室内側壁部２１１ａと、室外側見付面を構成する室外側壁部２１１ｂと、外周側壁部２１１ｃと、内周側壁部２１１ｄを有する断面中空形状の上框本体２１１と、上框本体２１１の室内側内周壁部分に取付けられる押縁２１２を有している。
上框本体２１１は、室外側壁部２１１ｂがガラス間口２１ａの室外側壁を形成しており、内周側壁部２１１ｄの室内側内周面に形成された押縁係止部２１１ｅに押縁２１２が係止されることで、押縁２１２と室外側壁部２１１ｂによってガラス間口２１ａが形成されている。
【００４７】
ガラス間口２１ａの内周端の両側には単板ガラス５との間を気密する気密材ｓ，ｓが取り付けられており、ガラス間口２１ａ内の室外側見付面の上方位置（コーナー部）に加熱発泡材ｆが全長にわたって配置されている。
【００４８】
（下枠部分の構成）
枠体１を構成する下枠１２は、躯体開口部の内周面に沿う内周壁部１２１ｃと、室内側の見付面を構成する室内側壁部１２１ａと、室内側壁部１２１ａの室外側に立設する室内側立上壁部１２１ｄと、室内側壁部１２１ａと室内側立上壁部１２１ｄとの上端同士を連結する上壁部１２１ｅを有している。
下枠１２は、室内側壁部１２１ａと室内側立上壁部１２１ｄと上壁部１２１ｅによって中空部が形成されているとともに、室内側壁部１２１ａの室内側上端から室内側に向かってアングル部を有している。
【００４９】
室内側立上壁部１２１ｄは、室外側面に下框２２の室内側面に対向する気密材ｓが設けられており、室外側面の気密材ｓの下方部位には、内周壁部１２１ｃの内周面と下框２２の外周面との間の空間に向かって加熱発泡材ｆが配置されている。また、下枠１２の中空内部に加熱発泡材ｆが配置されている。
【００５０】
障子２を構成する下框２２は、室内側壁部２２１ａと、室外側壁部２２１ｂと、外周側壁部２２１ｃと、内周側壁部２２１ｄを有する断面中空形状をなしており、室外側の内周側部分には、ガラス間口２２ａが形成されている。
ガラス間口２２ａは、内周端の両側に単板ガラス５との間を気密する気密材ｓ，ｓが取り付けられており、ガラス間口２２ａ内に配置されたセッティングブロック６を介して単板ガラス５を支持している。
そして、下框２２は、ガラス間口２２ａ内の室外側の見付面及び室内側の見付面の下方位置（コーナー部）に加熱発泡材ｆが長手方向全長に亘って配置されている。
【００５１】
（竪枠部分の構成）
枠体１を構成する左右の竪枠１３は、見付け面を有する室内側壁部１３１ａ及び室外側壁部１３１ｂと、室内側壁部１３１ａと室外側壁部１３１ｂを連絡する内周壁部１３１ｃと、内周壁部１３１ｃの室内側内周面から内周に突出する室内側見付壁部１３１ｄを有している。また、竪枠１３は、室内側壁部１３１ａの室内側面に室内方向に延びるアングル部を有している。
室内側見付壁部１３１ｄは、室外側面の内周端に竪框２３の室内側面に対向する気密材ｓが配置されており、気密材ｓの外周側に内周壁部１３１ｃと竪框２３の外周面との間の空間に向かう加熱発泡材ｆが配置されている。
【００５２】
障子２を構成する左右の竪框２３は、室内側見付面を構成する室内側壁部２３１ａと、室外側見付面を構成する室外側壁部２３１ｂと、外周側壁部２３１ｃと、内周側壁部２３１ｄを有する断面中空形状をなす竪框本体２３１と、押縁２３２を有している。
竪框本体２３１は、室外側壁部２３１ｂが内周側に延びてガラス間口２３ａの室外側壁を形成しており、内周側壁部２３１ｄの室内側内周面に形成された押縁係止部２３１ｅに押縁２３２が係止されることで、押縁２３２と室外側壁部２３１ｂによってガラス間口２３ａが形成されている。
また、室外側壁部２３１ｂは、外周端に気密材が配置されており、竪枠１３の内周面に当接している。
【００５３】
ガラス間口２３ａ（室外側壁部２３１ｂ及び押縁２３２）の内周端の両側には単板ガラス５との間を気密する気密材ｓ，ｓが取り付けられており、ガラス間口２３ａ内の底壁（内周側壁部２３１ｄの内周側面）の室外側（底壁と室外側壁部２３１ｂとのコーナー部）に加熱発泡材ｆが配置されている。
【００５４】
−第５の実施形態−
第５の実施形態として、四周に組んだ枠体１の内周に、四周に組んだドア框体の内周に単板ガラス５をはめ込んでなる内、外障子２、３を開閉自在に支持してなる引違い窓を、図９，１０を参考にして説明する。
（全体の構成）
本実施形態の引違い窓の枠体１は、上枠１１、下枠１２及び左、右の竪枠１３，１３を四周組して形成されており、内、外障子２、３は、それぞれ上框２１，３１、下框２２，３２及び左右の竪框２３，２３，３３，３３を四周組してなる框体の内周に単板ガラス５を保持して形成されている。
【００５５】
（上枠部分の構成）
枠体１を構成する上枠１１は、見付け面を有する室内側壁部１１１ａ及び室外側壁部１１１ｂと、室内側壁部１１１ａと室外側壁部１１１ｂを連絡する内周壁部１１１ｃを有しており、室内側壁部１１１ａの室内側面に室内方向に延びるアングル部を有している。
上枠１１は、内周壁部１１１ｃの見込み方向略中央位置において内周面から下方に延びる中央見付壁部１１１ｅを有しており、室内側壁部１１１ａと中央見付壁部１１１ｅによって、内障子２の上部を案内する案内溝を形成している。
【００５６】
また、上枠１１は、内周壁部１１１ｃの内周面で中央見付壁部１１１ｅの室外側に外障子３の上框３１を案内する上外レール１１１ｈを有している。
室内側壁部１１１ａは、室外側面の下方位置に内障子２の上框２１の室内側面に当接する気密材ｓを有しており、中央見付壁部１１１ｅは、室外側面の下方位置に外障子３の上框２１の室内側面に当接する気密材ｓを有している。
【００５７】
内障子２を構成する上框２１は、室内側見付面を構成する室内側壁部２１１ａと、室外側見付面を構成する室外側壁部２１１ｂと、外周側壁部２１１ｃと、内周側壁部２１１ｄを有しており、室内側壁部２１１ａの内周側部位と室外側壁部２１１ｂの内周側部位と内周側壁部２２１ｄとによってガラス間口２１ａが形成されている。
ガラス間口２１ａには、グレージングチャンネル９が配置されており、グレージングチャンネル９を介して単板ガラス５が保持されている。
そして、上框２１は、外周側壁部２１１ｃの上面に加熱発泡材ｆが配置されているとともに、ガラス間口２１ａ内の室内側の見付面の上方位置に加熱発泡材ｆが配置されている。
【００５８】
外障子３を構成する上框３１は、室内側見付面を構成する室内側壁部３１１ａと、室外側見付面を構成する室外側壁部３１１ｂと、外周側壁部３１１ｃと、内周側壁部３１１ｄを有しており、室内側壁部３１１ａの内周側部位と室外側壁部３１１ｂの内周側部位と内周側壁部３２１ｄとによってガラス間口３１ａが形成されている。
ガラス間口３１ａは、グレージングチャンネル９が配置されており、グレージングチャンネル９を介して単板ガラス５が保持されている。
そして、上框３１は、外周側壁部３１１ｃの上方に加熱発泡材が配置されているとともに、ガラス間口３１ａ内の室外側の見付面の上方位置に加熱発泡材ｆが配置されている。
【００５９】
（下枠部分の構成）
枠体１を構成する下枠１２は、躯体開口部の内周面に沿う内周壁部１２１ｃと、室内側の見付面を構成する室内側壁部１２１ａと、室内側壁部１２１ａの室外側に立設する室内側立上壁部１２１ｄと、室内側壁部１２１ａの室外側面と室内側立上壁部１２１ｄの上端部を連結する上壁部１２１ｅと、上壁部１２１ｅの室外側上端部から上方に延びる下内レール１２１ｇと、内周壁部１２１ｃから上方に延びる下外レール１２１ｈと、室内側立上壁部１２１ｄの室外側上端部から室外側に延びる気密材取付片１２１ｆを有しており、室内側壁部１２１ａの上端から室内側に向かってアングル部を有している。
【００６０】
下枠１２は、室内側壁部１２１ａと室内側立上壁部１２１ｄと上壁部１２１ｅによって中空部が形成されているとともに、室内側壁部１２１ａが上壁部１２１ｅよりも上方に延びている。
室内側壁部１２１ａは、室外側面の上端に下框２２の室内側面に当接若しくは近接する気密材ｓが配置されており、気密材ｓの下方位置に内障子２の下方空間に向かって加熱発泡材ｆが配置されている。
また、気密材取付片１２１ｆの室外側端部には、外障子２の下框３２の室内側面に当接する気密材ｓが配置されており、室内側立上壁部１２１ｄの室外側面に加熱発泡材ｆが配置されている。
【００６１】
内障子２を構成する下框２２は、室内側見付面を構成する室内側壁部２２１ａと、室外側見付面を構成する室外側壁部２２１ｂと、外周側壁部２２１ｃと、内周側壁部２２１ｄを有しており、室内側壁部２２１ａの内周側部位と室外側壁部２２１ｂの内周側部位と内周側壁部２２１ｄとによってガラス間口２２ａが形成されている。
ガラス間口２２ａには、ガラス受け（支持部材）６２及びグレージングチャンネル９が配置されており、ガラス受け６２及びグレージングチャンネル９を介して単板ガラス５が保持されている。
【００６２】
そして、下框２２は、外周側壁部２２１ｃの下面及び室外側壁部２２１ｂの室内側面の下方部分に加熱発泡材ｆ，ｆが配置されるとともに、ガラス間口２１ａ内の室内側の見付面の下方位置に加熱発泡材ｆが配置されている。
【００６３】
外障子３を構成する下框３２は、室内側見付面を構成する室内側壁部３２１ａと、室外側見付面を構成する室外側壁部３２１ｂと、外周側壁部３２１ｃと、内周側壁部３２１ｄを有しており、室内側壁部３２１ａの内周側部位と室外側壁部３２１ｂの内周側部位と内周側壁部３２１ｄとによってガラス間口３２ａが形成されている。
ガラス間口３２ａは、ガラス受け（支持部材）６３及びグレージングチャンネル９が配置されており、ガラス受け６３及びグレージングチャンネル９を介して単板ガラス５が保持されている。
【００６４】
そして、下框３２は、室外側壁部３２１ｂの室内側面の下方部分に加熱発泡材ｆが配置されているとともに、ガラス間口３２ａ内の室外側の見付面の下方位置に加熱発泡材ｆが配置されている。
【００６５】
（竪枠部分の構成）
枠体１を構成する左右の竪枠１３は、見付け面を有する室内側壁部１３１ａ及び室外側壁部１３１ｂと、室内側壁部１３１ａと室外側壁部１３１ｂを連絡する内周壁部１３１ｃと、内周壁部１３１ｃの見込み方向略中央位置において内周面から内周方向に延びる中央見付壁部１３１ｅを有している。
そして、左の竪枠１３においては、中央見付壁部１３１ｅと室外側壁部１３１ｂによって、外障子３の戸先框（左の竪框３３）が挿入される収容部が形成され、右の竪枠１３においては、室内側壁部１３１ａと中央見付壁部１３１ｅによって、内障子２の戸先框（右の竪框３３）が挿入される収容部が形成されている。
【００６６】
内障子２を構成する左の竪框２３は、室内側見付面を構成する室内側壁部２３１ａと、室外側見付面を構成する室外側壁部２３１ｂと、外周側壁部２３１ｃと、内周側壁部２３１ｄを有しており、複数の中空部によって構成されている。
そして、左の竪框２３は、室外側の内周側部分にガラス間口２３ａが形成されており、ガラス間口２３ａには、グレージングチャンネル９が配置され、グレージングチャンネル９を介して単板ガラス５が保持されている。
【００６７】
また、左の竪框２３は、ガラス間口２３ａの室内側底面に加熱発泡材ｆが配置されているとともに、竪框２３を構成する中空部内には、補強材８３及び加熱発泡材ｆが配置されている。
左の竪框２３の外周面には、クレセント錠が設けられ、竪框２３の室外側面には、煙返しが形成されていると共に、気密材ｓ及び加熱発泡材ｆが配置されている。
【００６８】
内障子２を構成する右の竪框２３は、室内側壁部２３１ａと、室外側壁部２３１ｂと、外周側壁部２３１ｃと、内周側壁部２３１ｄを有する断面中空形状をなしており、室内側壁部２３１ａの内周側部位と室外側壁部２３１ｂの内周側部位と内周側壁部２３１ｄによってガラス間口２３ａが形成されている。
ガラス間口２３ａには、グレージングチャンネル９が配置され、グレージングチャンネル９を介して単板ガラス５が保持されている。
【００６９】
そして、右の竪框２３は、ガラス間口２３ａの室内側底壁に加熱発泡材ｆが配置されているとともに、竪框２３の中空部内の室外側面に加熱発泡材ｆが配置されている。
竪框２３の外周面には、引き寄せブロックが配置されており、室内側壁部２３１ａの外周側部位の室外側面に加熱発泡材ｆが配置されている。
【００７０】
外障子３を構成する左の竪框３３は、室内側壁部３３１ａと、室外側壁部３３１ｂと、外周側壁部３３１ｃと、内周側壁部３３１ｄを有する断面中空形状をなしており、室内側壁部３３１ａの内周側部位と室外側壁部３３１ｂの内周側部位と内周側壁部３３１ｄによってガラス間口３３ａが形成されている。
ガラス間口３３ａには、グレージングチャンネル９が配置され、グレージングチャンネル９を介して単板ガラス５が保持されている。
【００７１】
そして、左の竪框３３は、ガラス間口３３ａの室外側底壁に加熱発泡材ｆが配置されているとともに、竪框３３の中空部内の室外側面に加熱発泡材ｆが配置されている。
竪框３３の外周面には、引き寄せブロックが配置されており、室内側壁部３３１ａの外周側部位の室外側面に加熱発泡材ｆが配置されている。
【００７２】
外障子３を構成する右の竪框３３は、室内側壁部３３１ａと、室外側壁部３３１ｂと、外周側壁部３３１ｃと、内周側壁部３３１ｄを有する断面中空形状をなしており、室内側壁部３３１ａの内周側部位と室外側壁部３３１ｂの内周側部位と内周側壁部３３１ｄによってガラス間口３３ａが形成されている。
ガラス間口３３ａには、グレージングチャンネル９が配置され、グレージングチャンネル９を介して単板ガラス５が保持されている。
【００７３】
そして、右の竪框３３は、ガラス間口３３ａの室外側底面に加熱発泡材ｆが配置されているとともに、竪框３３の中空部内に補強材８３及び加熱発泡材ｆが配置されている。
竪框３３の室内側面には、煙返しが形成されていると共に、加熱発泡材ｆが配置されている。
【００７４】
−第６の実施形態−
第６の実施形態として、四周に組んだ枠体１の内周に、四周に組んだドア框体の内周に単板ガラス５をはめ込んでなる障子２を開閉自在に支持してなる外倒し窓を、図１１，１２を参考にして説明する。
（全体の構成）
本実施形態の外倒し窓の枠体１は、上枠１１、下枠１２及び左、右の竪枠１３，１３を四周組して形成されており、障子２は、上框２１、下框２２及び左右の竪框２３，２３を四周組してなる框体の内周に単板ガラス５を保持して形成されている。
【００７５】
（上枠部分の構成）
枠体１を構成する上枠１１は、見付け面を有する室内側壁部１１１ａ及び室外側壁部１１１ｂと、室内側壁部１１１ａと室外側壁部１１１ｂを連絡する内周壁部１１１ｃを有している。
【００７６】
内周壁部１１１ｃは、室内側の内周面が室外側の内周面よりも内周に位置するように段部が形成されており、内周面に形成される段部の見付壁がそのまま内周方向（下方）に向かって延びて室内側見付壁部１１１ｄが形成されている。
室内側見付壁部１１１ｄは、室外側面の下端位置に障子２の閉鎖時に上框２１の室内側面に対向する気密材ｓが配置されており、気密材ｓの上方部位には上框２１の外周面と上枠１１の内周面との間の空間に向かう加熱発泡材ｆが配置されている。
【００７７】
また、内周壁部１１１ｃは、室外側端部近傍が下方に屈曲して内周方向に突出しており、内周壁部１１１ｃの突出部分に上框２１の室外側壁部２１１ｂの上端に向かう気密材ｓが取り付けられている。
また、内周壁部１１１ｃの室外側下面には、上框２１の外周面と上枠１１の内周面との間の空間に向かう加熱発泡材ｆが配置されている。
【００７８】
障子２を構成する上框２１は、室内側見付面を構成する室内側壁部２１１ａと、室外側見付面を構成する室外側壁部２１１ｂと、外周側壁部２１１ｃと、内周側壁部２１１ｄを有する断面中空形状をなしており、室外側の内周側部分には、ガラス間口２１ａが形成されている。
ガラス間口２１ａの内周端の両側には単板ガラス５との間を気密する気密材ｓ，ｓが取り付けられており、ガラス間口２１ａ内の室外側の見付面の上方位置（室外側のコーナー部）に加熱発泡材ｆが配置されている。
【００７９】
（下枠部分の構成）
枠体１を構成する下枠１２は、躯体開口部の内周面に沿う内周壁部１２１ｃと、室内側の見付面を構成する室内側壁部１２１ａと、室内側壁部１２１ａの室外側に立設する室内側立上壁部１２１ｄと、室内側壁部１２１ａと室内側立上壁部１２１ｄとの上端同士を連結する上壁部１２１ｅを有している。
下枠１２は、室内側壁部１２１ａと室内側立上壁部１２１ｄと上壁部１２１ｅによって中空部が形成されている。
【００８０】
室内側立上壁部１２１ｄは、室外側面に下框２２の室内側面に対向する気密材ｓが設けられており、室外側面の気密材ｓの下方部位には、下框２２の室内側下端に向かって加熱発泡材ｆが配置されている。また、下枠１２の中空内部に加熱発泡材ｆが配置されている。
【００８１】
障子２を構成する下框２２は、室内側壁部２２１ａと、室外側壁部２２１ｂと、外周側壁部２２１ｃと、内周側壁部２２１ｄを有する断面中空形状をなしており、室外側の内周側部分には、ガラス間口２２ａが形成されている。
ガラス間口２２ａは、内周端の両側に単板ガラス５との間を気密する気密材ｓ，ｓが取り付けられており、ガラス間口２２ａ内に配置されたセッティングブロック６を介して単板ガラス５を支持している。
そして、下框２２は、ガラス間口２２ａ内の室外側の見付面の下方位置に加熱発泡材ｆが長手方向全長に亘って配置されている。
【００８２】
（竪枠部分の構成）
枠体１を構成する左右の竪枠１３は、見付け面を有する室内側壁部１３１ａ及び室外側壁部１３１ｂと、室内側壁部１３１ａと室外側壁部１３１ｂを連絡する内周壁部１３１ｃと、内周壁部１３１ｃの室内側内周面から内周に突出する室内側見付壁部１３１ｄを有している
室内側見付壁部１３１ｄは、室外側面の内周端に竪框２３の室内側面に対向する気密材ｓが配置されており、気密材ｓの外周側に内周壁部１３１ｃと竪框２３の外周面との間の空間に向かう加熱発泡材ｆが配置されている。
また、竪枠１３の内周壁部１３１ｃの内周面から室内側見付壁部１３１ｄの室外側面にかけて、遮へい板７が配置されている。
【００８３】
障子２を構成する左右の竪框２３は、室内側見付面を構成する室内側壁部２３１ａと、室外側見付面を構成する室外側壁部２３１ｂと、外周側壁部２３１ｃと、内周側壁部２３１ｄを有する断面中空形状をなす竪框本体２３１と、押縁２３２を有している。
竪框本体２３１は、室外側壁部２３１ｂが内周側に延びてガラス間口２３ａの室外側壁を形成しており、内周側壁部２３１ｄの室内側内周面に形成された押縁係止部２３１ｅに押縁２３２が係止されることで、押縁２３２と室外側壁部２３１ｂによってガラス間口２３ａが形成されている。
また、室外側壁部２３１ｂは、外周端に気密材が配置されており、竪枠１３の内周面に当接している。
【００８４】
ガラス間口２３ａ（室外側壁部２３１ｂ及び押縁２３２）の内周端の両側には単板ガラス５との間を気密する気密材ｓ，ｓが取り付けられており、ガラス間口２３ａ内の室外側底面面（内周側壁部２３１ｄと室外側壁部２３１ｂとのコーナー部）に加熱発泡材ｆが配置されている。
【００８５】
−第７の実施形態−
第７の実施形態として、四周に組んだ枠体１の内周に、四周に組んだドア框体の内周に単板ガラス５をはめ込んでなる障子２を開閉自在に支持してなる内倒し窓を、図１３，１４を参考にして説明する。
（全体の構成）
本実施形態の外倒し窓の枠体１は、上枠１１、下枠１２及び左、右の竪枠１３，１３を四周組して形成されており、障子２は、上框２１、下框２２及び左右の竪框２３，２３を四周組してなる框体の内周に単板ガラス５を保持して形成されている。
【００８６】
（上枠部分の構成）
枠体１を構成する上枠１１は、見付け面を有する室内側壁部１１１ａ及び室外側壁部１１１ｂと、室内側壁部１１１ａと室外側壁部１１１ｂを連絡する内周壁部１１１ｃを有しており、室内側壁部１１１ａの室内側面に室内方向に延びるアングル部を有している。
【００８７】
内周壁部１１１ｃは、室内側の内周面が室外側の内周面よりも外周に位置するように見付壁で連続されて段部が形成されており、段部を形成する見付壁が下方に延びて室内側見付壁部１１１ｄが形成されている。
室内側見付壁部１１１ｄは、室内側面に上框２１に当接する気密材ｓが配置されている。また、内周壁部１１１ｃの段部よりも室外側、すなわち室内側見付壁部１１１ｄよりも室外側に上框２１の外周面に向かう加熱発泡材ｆが配置されている。
【００８８】
障子２を構成する上框２１は、室内側見付面を構成する室内側壁部２１１ａと、室外側見付面を構成する室外側壁部２１１ｂと、外周側壁部２１１ｃと、内周側壁部２１１ｄを有しており、複数の中空部によって構成されている。
そして、上框２１は、室外側の内周側部分にガラス間口２１ａが形成されている。
ガラス間口２１ａは、内周端の両側には単板ガラス５との間を気密する気密材ｓ，ｓが取り付けられており、ガラス間口２１ａ内の室外側の見付面の上方位置に加熱発泡材ｆが配置されている。
また、室内側壁部２１１ａは、外周側壁部２１１ｃよりも上方に延びており、障子２の閉鎖時に上枠１１の室内側見付壁部１１１ｄの室内側面に配置された気密材ｓが当接する。
【００８９】
（下枠部分の構成）
枠体１を構成する下枠１２は、躯体開口部の内周面に沿う内周壁部１２１ｃと、室内側の見付面を構成する室内側壁部１２１ａと、室内側壁部１２１ａの室外側に立設する室内側立上壁部１２１ｄと、室内側壁部１２１ａと室内側立上壁部１２１ｄの上端を連結する上壁部１２１ｅを有している。
下枠１２は、室内側壁部１２１ａと室内側立上壁部１２１ｄと上壁部１２１ｅによって中空部が形成されているとともに、室内側壁部１２１ａの室内側上端から室内側に向かってアングル部を有している。
【００９０】
室内側立上壁部１２１ｄは、室外側面に障子２を支持するための蝶番部材１２２が取り付けられており、中空内部に加熱発泡材ｆが配置されている。
蝶番部材１２２は、下枠１２に固定される固定部１２２ａと、固定部１２２ａの上方に連続する障子支持部１２２ｂと、障子支持部１２２ｂの室外側に形成される対向壁部１２２ｃを有している。
対向壁部１２２ｃは、室内側面の上端付近に下框２２に当接する気密材ｓが設けられており、対向壁部１２２ｃの室外側面及び障子支持部１２２ｂと対向壁部１２２ｃの間に、加熱発泡材ｆが配置されている。
【００９１】
障子２を構成する下框２２は、室内側壁部２２１ａと、室外側壁部２２１ｂと、外周側壁部２２１ｃと、内周側壁部２２１ｄを有しており、室外側部分にガラス間口２２ａが形成されている。
ガラス間口２２ａは、内周端の両側に単板ガラス５との間を気密する気密材ｓ，ｓが取り付けられており、ガラス間口２２ａ内に配置されたセッティングブロック６を介して単板ガラス５を支持している。
そして、下框２２は、ガラス間口２２ａ内の室外側の見付面の下方位置（コーナー部）に加熱発泡材ｆが長手方向全長に亘って配置されている。
【００９２】
また、下框２２は、室外側壁部２２１ｂが下方に延びており、下框２２の外周側壁部２２１ｃの内周面及び室外側壁部２２１ｂの室内側面、下枠１２の内周壁部１２１ｃ及び室内側立上壁部１２１ｄ、蝶番部材１２２によって空間が形成されている。
【００９３】
（竪枠部分の構成）
枠体１を構成する左右の竪枠１３は、見付け面を有する室内側壁部１３１ａ及び室外側壁部１３１ｂと、室内側壁部１３１ａと室外側壁部１３１ｂを連絡する内周壁部１３１ｃと、内周壁部１３１ｃの室内側内周面から内周側に延設される室内側見付壁部１３１ｄを有している。
また、竪枠１３は、室内側壁部１３１ａの室内側面に室内方向に延びるアングル部を有しており、室外側壁部１３１ｂの内周端部近傍に竪框２３に当接する気密材ｓが設けられている。
【００９４】
室内側見付壁部１３１ｄは、室内側面の内周端に竪框２３の室内側壁部２３１ａの室外側面に向かう気密材ｓが配置されており、内周壁部１３１ｃは、室内側内周面であって室内側見付壁部１３１ｄの室外側に内周方向に向かう加熱発泡材ｆが配置されている。
【００９５】
障子２を構成する左右の竪框２３は、室内側見付面を構成する室内側壁部２３１ａと、室外側見付面を構成する室外側壁部２３１ｂと、室内側壁部２３１ａの内周端部と室外側壁部２３１ｂの外周端部を連結する外周側壁部２３１ｃとからなる竪框本体２３１と、押縁２３２を有している。
【００９６】
竪框本体２３１は、室外側壁部２３１ｂがガラス間口２３ａの室外側壁を形成しており、外周側壁部２３１ｃの室内側内周面に形成された押縁係止部２３１ｅに押縁２３２が係止されることで、押縁２３２と室外側壁部２３１ｂによってガラス間口２３ａが形成されている。
【００９７】
ガラス間口２３ａの内周端の両側には単板ガラス５との間を気密する気密材ｓ，ｓが取り付けられており、ガラス間口２３ａ内の室外側底面（コーナー部）に加熱発泡材ｆが配置されている。
【００９８】
以上のように、本実施形態の防火建具においては、単板ガラスの周囲を保持するガラス間口内に補強部材を配置していないので、施工が容易となり、経済的にも優れている。
また、単板ガラスを保持するガラス間口内には、四周に亘って加熱発泡材が配置されているので、切れ目無く単層ガラスとガラス間口との間に隙間が生じることを防止することができ、室内外の連通を防止できるので防火性能が向上する。
【００９９】
特に、単層ガラスを支持する支持部材が配置されている下枠もしくは下框においては、ガラス間口の見付面に加熱発泡材が配置されているので、支持部材の間にも加熱発泡材によって充填することができ、室内外の連通を防止できる。
また、ガラス間口の下面に形成された水抜き孔を塞ぐことがなく、結露水等によって加熱発泡材が劣化することを抑制することができる。
【０１００】
さらに、引違い建具においては、内障子のガラス間口に配置される加熱発泡材は室内側に寄せて設け、外障子のガラス間口に配置される加熱発泡材は室外側に寄せて配置しているので、火災の発生した方に近い障子をすばやく保護することができる。
【０１０１】
また、框材の中空部の中に上下に対向する見込面と見付面を有する断面略Ｕ字状の補強部材を配置することで框材を補強すると共に、補強部材には、上下に対向する見込面の何れかに連続して補強部材の回転を防止する見付面（回転止め壁部）を設けることで、中空部内における補強部材の回転等を防止して、補強部材を安定させて強固な補強を可能にしている。
【０１０２】
なお、各実施形態においては、枠体もしくは框体に取り付けられる加熱発泡材は、枠体もしくは框体に対してどのように取り付けられても良い。例えば、枠体もしくは框体に形成されたホルダーによって保持されてもよく、両面テープや接着によって固定されていてもよいし、ネジ等によって固定してもよい。
【０１０３】
また、窓種についても、何ら限定されるものではない。
【０１０４】
なお、以上の実施形態は，請求項に記載された発明を限定するものではなく，例示として取り扱われることは言うまでもない。
【符号の説明】
【０１０５】
５            ：単板ガラス
６            ：セッティングブロック（支持部材）
６２，６３    ：ガラス受け（支持部材）
１１ａ〜１３ａ：ガラス間口
２１ａ〜２３ａ：ガラス間口
３１ａ〜３３ａ：ガラス間口
ｆ            ：加熱発泡材
【図１】
2020084549.tif 000003
【図２】
2020084549.tif 000004
【図３】
2020084549.tif 000005
【図４】
2020084549.tif 000006
【図５】
2020084549.tif 000007
【図６】
2020084549.tif 000008
【図７】
2020084549.tif 000009
【図８】
2020084549.tif 000010
【図９】
2020084549.tif 000011
【図１０】
2020084549.tif 000012
【図１１】
2020084549.tif 000013
【図１２】
2020084549.tif 000014
【図１３】
2020084549.tif 000015
【図１４】
2020084549.tif 000016